Podtech/llm-jp-corpus-v4-ja_patent huggingface dataset:
(57)【要約】      （修正有）【課題】係合させた果物の脱落防止のために、該果物を殊更に押えて保持する必要がなく、従って、保持する際に果物に傷の付きにくいフルーツキャップを提供する。【解決手段】外層側の、多数の発泡ポリエチレン製線状体１ａと、内層側の、多数の発泡ポリエチレン製線状体１ｂを一定の角度で交差させて重ね合わせ、しかも、重ね合わせた部分を互いに融着して成る網目状の筒状主体１で構成する。そして、筒状主体１の一方の開放端部を内外層の発泡ポリエチレン製線状体１ａ，１ｂを融着して閉塞端部１´とする。【選択図】図３
0003170893.tif 000002
【実用新案登録請求の範囲】
【請求項１】
外層側の、多数の発泡ポリエチレン製線状体と、内層側の、多数の発泡ポリエチレン製線状体を一定の角度で交差させて重ね合わせ、しかも、該重ね合わせた部分を互いに融着して成る網目状の筒状主体で成り、該筒状主体の一方の開放端部を前記内外層の発泡ポリエチレン製線状体を融着して閉塞した、フルーツキャップ。
【請求項２】
筒状主体の、一方の、網目を小さくさせて縮径させた開放端部を、前記内外層の発泡ポリエチレン製線状体を融着して閉塞した、請求項１記載のフルーツキャップ。
【請求項３】
開放端部を直線に沿わせて融着して閉塞した請求項１又は２記載のフルーツキャップ。
【考案の詳細な説明】
【技術分野】
【０００１】
本考案は、桃その他の果物を販売陳列時或いは輸送時に、当該果物の損傷を防ぐために用いているフルーツキャップに関するものである。
【背景技術】
【０００２】
発泡ポリエチレン製の線状体を多数横に並べて外面層のものと内面層のものを互いに交差させ、互いに重なり合う外面層のものと内面層のものを前記交差部において融着させて、全体として筒状体とし、該筒状態の前記内面層の内側に果物を係合してこれを保護するようにした構造のものが一般である（例えば、特許文献１）。
【先行技術文献】
【特許文献】
【０００３】
【特許文献１】特開２０００−３０２１８１号公報
【考案の概要】
【考案が解決しようとする課題】
【０００４】
前記公報所載の従来例は、両端を開放した筒状体で構成するので、果物を係合させると、該果物の重量で下側に配した開放端が拡開（開口）し、該開放端を通じて果物が脱落するおそれがある。そのため、使用、すなわち、係合した状態で果物を移動させるには、該キャップ外側から果物を押え付けておく必要があり、使用上の制約がある。
【０００５】
また、脱落防止のため、キャップを介して果物を保持する（押え付ける）必要があるので、例えば、桃など加圧すると簡単に傷の付きやすいものに対する保護キャップとして充分とはいえない。
【０００６】
本考案は、係合させた果物の脱落を防ぐために、該果物を殊更に押える必要なく（傷の付きにくい）、使用勝手の良好なフルーツキャップを提供することを目的として案出したものである。
【課題を解決するための手段】
【０００７】
外層側の、多数の発泡ポリエチレン製線状体と、内層側の、多数の発泡ポリエチレン製線状体を一定の角度で交差させて重ね合わせ、しかも、該重ね合わせた部分を互いに融着して成る網目状の筒状主体で成り、該筒状主体の一方の開放端部を前記内外層の発泡ポリエチレン製線状体を融着して閉塞したものである。また、筒状主体の、一方の、網目を小さくさせて縮径させた開放端部を、前記内外層の発泡ポリエチレン製線状体を融着して閉塞した点を採用することにより、閉塞した開放端側が尻窄まり状になって果物にフィットし、果物の安定した保護状態を得ることができる。
【０００８】
更に、開放端部を直線に沿わせて融着して閉塞端部とすると、果物を収容したとき、筒状主体が膨らむことにより線状体にテンションがかかり、その影響の受けにくい開放端部の両隅部が突出して接地することになり、果物はいわば３点で支えられ、果物の直接の接地による経時変化を妨げる、安定した陳列状態を得ることができる。
【考案の効果】
【０００９】
本考案によれば、閉塞端を、底側に配することにより係合した果実が脱落することのないフルーツキャップを提供できる。また、果物の荷重を閉塞端で受けるから、移動に際しては、果物を特別に押え付けて保持する必要がなく、従って、手先で果物を必要以上に保持することから生じる損傷を未然に防ぐフルーツキャップを提供できる。
【図面の簡単な説明】
【００１０】
【図１】正面図。
【図２】底面図。
【図３】使用状態を示す斜視図。
【図４】他の使用状態を示す斜視図。
【考案を実施するための形態】
【００１１】
図面は、本考案に係るフルーツキャップの一実施形態を示し、図中、Ａは本考案に係るフルーツキャップである。
【００１２】
フルーツキャップＡは、外層側の多数の発泡ポリエチレン樹脂で成る線状体１ａ，…と内層側の多数の発泡ポリエチレン樹脂で成る線状体１ｂ，…を一定角度で交差させて重ね合わせ、しかも、重ね合わせた（交差）部分２，…を融着した網目状の筒状主体１で構成し、該筒状主体１の一方の開放端部を、前記線状体１ａ，１ｂで成る網目３，…を小さくして縮径させ、縮径させた該開放端を、該開放端を構成する前記線状体１ａ，…．１ｂ，…を直線に沿わせて融着して閉塞端１´として構成するものである。
【００１３】
なお、融着（熱）した閉塞端１´が、素材である線状体１ａ，…．１ｂ，…の溶融により硬くなり、線状硬質部分となって現われる。
【００１４】
また、筒状主体１は、線状体１ａ，…．１ｂ，…の組合わせ関係により、適用する果物を係合するに充分に拡開し、かつ、套装できるようになっており、図３で示すように、概し、長手方向の中間部を折り返して果物を二重に巻き付け用いる。
【００１５】
そして、図３で示すように、果物Ｆを収容して陳列した箱詰め状態に置くと、融着により硬くなった閉塞端部１´が、果物Ｆの収容によりテンションがかかり、該閉塞端部１´に連続する各線状体１ａ，…．１ｂ，…によって引っ張られ、その動きの影響の受けにくいその両隅部（両端部）１´ａ，１´ａが接地し、果物Ｆはいわば３点で支えられた状態に置かれ、従って、安定した陳列又は箱詰め状態を得ることができる。
【符号の説明】
【００１６】
１      筒状主体
１ａ    外層側の線状主体
１ｂ    内層側の線状主体
１´    閉塞端部
【図１】
0003170893.tif 000003
【図２】
0003170893.tif 000004
【図３】
0003170893.tif 000005
【図４】
0003170893.tif 000006
(57)【要約】      （修正有）【課題】専用の道具を必要とせず、スプレー缶の蓋に設けられた突起を倒すことで、スプレー缶の蓋に穴を開け、中に残ったガスを抜くことが出来るスプレー缶を提供する。【解決手段】スプレー缶の本体１にスプレー缶の蓋２とノズル３が取り付けられている。このスプレー缶の蓋２は、スプレー缶の蓋２１とスプレー缶の蓋２２から構成されている。スプレー缶の蓋２２の一部に突起２３が設けられている。スプレー缶の蓋２２に設けられている突起２３を缶の外周に向け倒すことで、スプレー缶の蓋２２に穴を開ける構造とし、スプレー缶の中に残ったガスを確実に抜くことが出来る様にする。スプレー缶に穴を開ける専用の道具を必要としない為、コストを安くでき、どこでも安全にスプレー缶に穴を開けることが出来る。【選択図】図１
0003170862.tif 000002
【実用新案登録請求の範囲】
【請求項１】
蓋に、ガス抜き用の穴を開ける為の突起を設けたことを特徴とするスプレー缶。
【考案の詳細な説明】
【技術分野】
【０００１】  この考案は、スプレー缶のガス抜き構造に関する。
【背景技術】
【０００２】  従来のスプレー缶は、使用後に残ったガスを抜く為には、専用の道具を使ってスプレー缶に穴を開けていた。
【考案の開示】
【考案が解決しようとする課題】
【０００３】しかしながら、以上の技術によれば、スプレー缶に穴を開ける専用の道具が必要であった。又、専用の道具でない先の尖った物を使って穴を開ける場合、怪我をする危険があった。【０００４】  そこで、この考案は、専用の道具を必要とせず、スプレー缶の蓋に設けられた突起を倒すことで、スプレー缶の蓋に穴を開け、中に残ったガスを抜くことが出来るスプレー缶を提供することを課題とする。
【課題を解決するための手段】
【０００５】  以上の課題を解決するために、この考案は、スプレー缶の蓋に穴を開ける為の突起を設けたことを特徴とするスプレー缶である。
【考案の効果】
【０００６】  この考案によれば、専用の道具を使わずに、スプレー缶の中に残ったガスを、安全に抜くことが出来る。
【考案を実施するための最良の形態】
【０００７】  この考案の一実施形態を、図１に示す。
スプレー缶の本体１にスプレー缶の蓋２とノズル３が取り付けられている。このスプレー缶の蓋２は、スプレー缶の蓋２１とスプレー缶の蓋２２から構成されている。スプレー缶の蓋２２の一部に突起２３が設けられている。【０００８】「実施形態の効果」
この実施形態によれば、スプレー缶の蓋２２に設けられている突起２３を倒すことで、スプレー缶の蓋２２に図２に示す穴２４を開ける構造となっている為、スプレー缶の中に残ったガスを確実に抜くことが出来る。スプレー缶に穴を開ける専用の道具を必要としない為、コストを安くでき、どこでも安全にスプレー缶に穴を開けることが出来る。【０００９】「他の実施形態」
図１の実施形態では、スプレー缶の蓋２に穴を開ける為の突起２３を、スプレー缶の蓋２２に設けているが、他の実施形態では、スプレー缶の蓋２１に設けても良い。
又、スプレー缶の蓋２に穴を開ける為の突起２３の数は複数設けても良い。【００１０】  図３の実施形態では、スプレー缶の蓋２に穴を開ける為の突起２３を、ノズル４に設けられた穴４１に格納することで、誤ってスプレー缶の蓋２に穴を開ける為の突起２３を倒すことを防止出来る。
【図面の簡単な説明】
【００１１】
【図１】この考案の一実施形態を示す断面図である。
【図２】この考案の一実施形態を説明する使用例である。
【図３】この考案の一実施形態を説明する使用例の拡大図である。
【図４】この考案の一実施形態を説明する使用例の拡大図である。
【符号の説明】
【００１２】１  スプレー缶の本体
２  スプレー缶の蓋
２１  スプレー缶の蓋（構成部品１）
２２  スプレー缶の蓋（構成部品２）
２３  突起（穴を開ける為の突起）
２４  穴（ガス抜き用）
３  ノズル
４  ノズル（突起保護穴付き）
４１  穴（突起格納用）
４２  穴（突起倒し用）
【図１】
0003170862.tif 000003
【図２】
0003170862.tif 000004
【図３】
0003170862.tif 000005
【図４】
0003170862.tif 000006
(57)【要約】      （修正有）【課題】美容液のミストの噴霧位置を確認しながらミストの量が均一に肌に噴霧することができる携帯型ミスト美顔器を提供する。【解決手段】本体１に超音波噴霧素子２を設け、本体１の正面に超音波噴霧窓を有する鏡３を設ける。【選択図】図１
0003170863.tif 000002
【実用新案登録請求の範囲】
【請求項１】
本体（１）に超音波噴霧素子（２）を設け、本体（１）の正面に超音波噴霧窓（８）を有する鏡（３）を設けたことを特徴とする携帯型ミスト美顔器。
【考案の詳細な説明】
【考案の詳細な説明】
【産業上の利用分野】
【０００１】  本考案は、高速振動技術により微粒子化された美容液が乾燥した肌に潤いを与える携帯型ミスト美顔器に関するものである。
【背景技術】
【０００２】  従来は、ミストの位置、肌の状態を皮膚の感覚に頼ってミストを当てていた。
【考案が解決しようとする課題】
【０００３】  これには次の欠点があった。ミストの位置を感覚に頼ってミストを当てていた。
このためミストの位置が不正確であったり、ミストの量が均一に噴霧出来なかった。
本考案は、以上の欠点を解決するためになされたものである。
【課題を解決するための手段】
【０００４】  本体（１）に超音波噴霧素子（２）を設け、本体（１）の正面に超音波噴霧窓（８）を有する鏡（３）を設ける。
本考案は、以上の構成よりなる携帯型ミスト美顔器である。
【考案実施の形態】
【０００５】  以下、本考案の実施形態について説明する。
（イ）本体（１）の正面に超音波噴霧窓（８）を設けた鏡（３）を設ける。
（ロ）超音波噴霧素子（２）にはＯリング（５）を介しタンク（４）を設ける。
（ハ）本体（１）に電池（６）を入れ、電池固定の電池カバー（７）を設ける。
（ニ）鏡（３）にスイッチ（９）を設ける。
本考案は、以上の構成よりなる携帯型ミスト美顔器である。
本考案を使用するときは、タンク（４）に好みの美容液入れ本体（１）に装着する。このときタンク（４）はＯリング（５）を介し超音波噴霧素子（２）に接合し、美容液が超音波噴霧素子（２）に接触する。さらにスイッチ（９）を押すと電池（６）により超音波噴霧素子（２）が振動し、タンク（４）内の美容液のミストが噴霧される。このミストの噴霧位置を鏡（３）により確認すると同時にミストの量が均一に肌に噴霧できているか確認することができる。
【考案の効果】
【０００６】  以上のように、この考案によると、美容液のミストの噴霧位置を確認しながらミストの量が均一に肌に噴霧することが出来る。
【図面の簡単な説明】
【０００７】
【図１】  本考案の断面図
【図２】  本考案の正面図
【図３】  本考案の背面図
【符号の説明】  １    本体
２    超音波噴霧素子
３    鏡
４    タンク
５    Ｏリング
６    電池
７    電池カバー
８    超音波噴霧窓
９    スイッチ
【図１】
0003170863.tif 000003
【図２】
0003170863.tif 000004
【図３】
0003170863.tif 000005
(57)【要約】      （修正有）【課題】ショルダーバッグと手提げバッグに切替えることがてきて且つベルトの掛け替えによりバッグに新鮮さをもたらし、しかも留め輪金具部分の傷みを防止してすることができるバラエティバッグを提供する。【解決手段】長短調整可能なベルトによりショルダーバッグと手提げバッグのいずれかに変換可能とするようにバッグ１１を構成する。すなわち、該バッグの上端の開閉口を挟んだ両側に２個づつの留め輪金具１３ａ〜１３ｄを取付け、ベルト１４の両端に取付ける掛脱用の弾撥開閉金具１５ａ、１５ｂをバッグの一側の留め輪金具への弾撥揃え掛けと、他側の留め輪金具への揃え掛けと、バッグの一側と他側の留め金具への交叉掛けと一周する廻し掛けという多通りの掛け留めからいずれかの弾撥掛けを選択できるようにバラエティバッグを形成する。【選択図】図１
0003170866.tif 000002
【実用新案登録請求の範囲】
【請求項１】
長短調整可能なベルトによりショルダーバッグと手提げバッグの双方に変換可能とするバッグにおいて、該バッグの上端の開閉口を挟んだ両側に２個づつの留め輪金具を取付け、該ベルトの両端に取付ける掛脱用の弾撥開閉金具を該バッグの一側の留め輪金具への弾撥揃え掛けと、他側の留め輪金具への揃え掛けと、バッグの一側と他側の留め金具への交叉掛けと、および一周する廻し掛けを含む多通りの掛け留めからいずれかの弾撥掛けを選択してショルダーバッグまたは手提げバッグとするようにしたことを特徴とするバラエティバッグ。
【考案の詳細な説明】
【技術分野】
【０００１】
この考案はショルダーバッグと手提げバッグのいずれかにて使用することができて、しかもベルトの掛け替えにより毎日新鮮で傷みの生じないようにしたバラエティバッグに関するものある。
【背景技術】
【０００２】
この種のバッグとしては実用新案登録第３０５４２３３号公報がある。該公報は、肩掛け用のベルトと手提げ用のベルトの双方を取付けたバッグを記載している。
【特許文献１】実用新案登録第３０５４２３３号公報
【考案の開示】
【考案が解決しようとする課題】
【０００３】
しかしながら、バッグに肩掛け用と手提げ用のベルトの２つを取付けることはバッグの構造を複雑にして使用を不便にしているという課題がある。
しかもベルトを特定の留め輪金具に掛け留めしているので、バッグの留め輪金具と取付け部分の傷みが早いという課題がある。
【課題を解決するための手段】
【０００４】
本考案は、長短調整可能なベルトによるショルダーバッグと手提げバッグのいずれかに変換可能なバッグにおいて、該バッグの上端の開閉口を挟んだ両側に２個づつの留め輪金具を取付け、ベルトの両端に取付ける掛脱用の弾撥開閉金具をバッグの一側の留め輪金具への弾撥揃え掛けと、他側の留め輪金具への揃え掛けと、バッグの一側と他側の留め輪金具への交叉掛けと、留め輪金具を通す折返し掛けおよび一周掛けを含む多通りの掛け留めよりいずれかの弾撥掛けを選択してショルダーバッグ、手提げバッグのいずれかを形成するようにして、かかる課題を解決したのである。
【考案の効果】
【０００５】
本考案は、バッグの開閉口の両側に留め輪金具を２個づつ計４個にて取付けたことで、ショルダー用と手提げ用に兼用するベルトを多通りにて掛け留めて、日替わりの新鮮なショルダーバッグ，手提げバッグを提供することができるという効果を生ずる。
【０００６】
バッグに取付ける４個の留め輪金具を２個づつ使用することで、留め輪金具とその取付け部分の傷みを長期に亘って防止することができるという効果を生ずる。
【図面の簡単な説明】
【０００７】
【図１】第１実施例のバッグとベルトを各別にて示す斜視図
【図２】同、（ａ）はベルトを一側の留め輪金具２個に掛け留めした状態、（ｂ）は他側の留め輪金具に掛け留めした状態、（ｃ）は一側と他側に交叉掛けした状態、（ｄ）は他の交叉掛けした状態を示す斜視図
【図３】第２実施例でベルトを留め輪金具を通して折返し弾撥留めして手提げバッグとした状態を示す斜視図
【図４】第３実施例でベルトを一周において廻し掛けして手提げバッグとした状態を示す斜視図
【図５】ベルトの中間に長短調節部を設けた斜視図
【符号の説明】
【０００８】
１１はバッグ
１２は開閉口チャック
１３ａ，１３ｂ，１３ｃ，１３ｄは留め輪金具
１４はベルト
１５ａ，１５ｂはベルトの両端に取付けた弾撥開閉金具
１６はショルダーバッグ
１７は手提げバッグ
１８は美錠金具
１８ａは突く棒
１８ｂは止め穴
【考案を実施するための最良の形態】
【０００９】
本考案は、バッグの開閉口を挟んだ両側に２個づつの留め輪金具を取付けることで、ベルトの両端を多通りの弾撥掛け留めの中よりひとつを選択して弾撥掛けすることで、ショルダーバッグ、手提げバッグのいずれにも切替えることができて、しかも掛け留め位置が替わることで日替わりによる新鮮でバラエティ豊かなバッグとすることができるようにする。
留め輪金具を選択して使用することで留め輪金具とその取付部分の傷みを防止して長期に亘り使用することができるようにする。
【実施例１】
【００１０】
図１乃至図２は第１実施例を示すもので、バッグ１１の開閉口チャック１２の両側に留め輪金具１３ａ，１３ｂ，１３ｃ，１３ｄを取付け、ショルダー用のベルト１４は長手方向の両端に弾撥開閉金具１５ａ，１５ｂを取付けて、開閉口チャック１２の一側の留め輪金具１３ａ，１３ｂに揃えて弾撥掛けして図２（ａ）に示すショルダーバッグ１６を形成し、開閉口チャック１２の他側の留め輪金具１３ｃ，１３ｄにベルト１４端を掛け留めることで図２（ｂ）のショルダーバッグ１６とし、交叉掛けにて図２（ｃ）と図２（ｄ）のショルダーバッグ１６を形成するようにしている。
【実施例２】
【００１１】
図３は第２実施例で、ベルト１４の一端を留め輪金具１３ａに掛け留めして中間を留め輪金具１３ｂに通して２つ折りして２分の１の長さにして他端を留め輪金具１３ａに掛け留めて手提げバッグ１７とした例を示している。
【実施例３】
【００１２】
図４は第３実施例でベルト１４の一端を留め輪金具１３ａに弾撥掛けして中間を次々と留め輪金具１３ｂ，１３ｃ，１３ｄを通し一周させて元の留め輪１３ａに掛け留めした手提げバッグ１７を示している。
【実施例４】
【００１３】
図５はベルト１４の中間に突く棒１８ａと複数個の止め穴１８ｂを並設した美錠金具１８を設けてベルト１４を長短調整することができるようにした例を示している。その他公知の長さ調整手段を設けることもある。
なお実施例図面はベルト１４を平帯タイプにて示しているが、１本また複数本を組み合わせた紐状・ロープ状とすることもある。
【産業上の利用可能性】
【００１４】
本考案は、ショルダー用と手提げ用のバッグに切替えができて、しかも４個の留め輪金具より２個を選択することで留め輪金具部分の傷みを和らげてバラエティバッグとして豊かに使用し得るようにすることで広く利用し活用することができるものである。
【図１】
0003170866.tif 000003
【図２】
0003170866.tif 000004
【図３】
0003170866.tif 000005
【図４】
0003170866.tif 000006
【図５】
0003170866.tif 000007
(57)【要約】      （修正有）【課題】防草シートの清掃作業時間を短縮し、作業員の負担を軽減する刈払機用アタッチメントカップブラシを提供する。【解決手段】カップブラシ本体のカップ中心にφ２５．４ｍｍの取付穴２を設け、硬毛、中硬毛、軟毛の内のいずれか一つのビニル製植毛３を施す。【選択図】図２
0003170832.tif 000002
【実用新案登録請求の範囲】
【請求項１】
刈払機への装着のため、カップ中心にφ２５．４ｍｍの穴をあけたカップブラシ。
また、植毛部分はビニール製で、硬毛（１．０ＮＹ）、中硬毛（０．８ＮＹ）、軟毛（０．６ＮＹ）の３種類がある。
【考案の詳細な説明】
【技術分野】
【０００１】この考案は、送電鉄塔敷地内の防草シートの清掃に関するものである。
【背景技術】
【０００２】鉄塔敷地内の雑草繁茂を防ぐための防草シートは、敷設から多年経過するとコケや汚れが多く付着し、作業員が滑って転倒する等の危険があるため、除去・清掃の必要がある。除去・清掃作業は、従来デッキブラシ等でこすったりヘラ等でこそげたりと人力で行っている。
【考案の概要】
【考案が解決しようとする課題】
【０００３】従来のデッキブラシやヘラ等を用いた人力での作業では、時間・労力がかかるうえに長時間の屈みこんでの作業姿勢は、作業員の腰痛等の身体的負担となっている。また、電動機械の導入は、電源の確保やコードの取り回し、また防草シートの劣化程度に合わせた摩擦力の調整が容易でなく、実現性に欠けている。
【課題を解決するための手段】
【０００４】刈払機の先端に、取り外し可能なアタッチメントカップブラシを取付け、エンジンの駆動によるブラシの回転で、防草シート表面に付着したコケや汚れ等の除去・清掃を可能にした。カップ中心の取付穴径はＪＩＳ規格適合刈払機用草刈り刃と同じφ２５．４ｍｍとした。また、ブラシの植毛部分はビニール製で、硬毛（１．０ＮＹ）、中硬毛（０．８ＮＹ）、軟毛（０．６ＮＹ）の３種類からシートの劣化状況に応じて硬さが違うものを選択できるようにした。
【考案の効果】
【０００５】１．従来の手作業による清掃作業を機械化することによって、大幅に作業時間の短縮と労力の削減ができた。
２．刈払機の使用により立ち作業が可能となり、作業員の身体的負担が軽減された。
３．カップブラシを取り外し可能なアタッチメントとすることにより、刈払機の基本性能に影響しない。また、取付穴をＪＩＳ規格適合刈払機用草刈り刃と同じ径にすることにより、一般的な刈払機に、特別な治具や工具を必要とせず容易に脱着ができる。
４．電源を必要とせず、作業範囲の制約を受けにくい。
５．刈払機のエンジンスロットルの調整でブラシの回転速度が調整でき、また植毛の硬さを選択することにより、防草シートの劣化状況に対応できる。
【図面の簡単な説明】
【０００６】
【図１】本考案のカップブラシ立面図
【図２】カップブラシ断面図
【図３】刈払機への取付図
【符号の説明】
【０００７】１  カップブラシ本体
２  取付穴
３  植毛部
４  刈払機先端
５  ボルトガード
６  ボルト
【図１】
0003170832.tif 000003
【図２】
0003170832.tif 000004
【図３】
0003170832.tif 000005
【手続補正書】
【提出日】平成23年7月14日(2011.7.14)
【手続補正１】
【補正対象書類名】実用新案登録請求の範囲
【補正対象項目名】全文
【補正方法】変更
【補正の内容】
【実用新案登録請求の範囲】
【請求項１】
刈払機への装着のため、カップ中心にφ２５．４ｍｍの取付穴２をあけ、ビニール製植毛３を施したカップブラシ本体１において、
（１）硬毛（１．０ＮＹ）、
（２）中硬毛（０．８ＮＹ）、
（３）軟毛（０．６ＮＹ）、
以上異なる硬さの内いずれか一つの植毛を施した防草シート清掃のための刈払機用アタッチメントカップブラシ。
(57)【要約】      （修正有）【課題】仕上げ面の鏝波および塗り厚の不均一が生じない左官用鏝を提供する。【解決手段】鉛直方向から見た左官鏝の鏝板の形状を真円形にする。【選択図】図４
0003170859.tif 000002
【実用新案登録請求の範囲】
【請求項１】
鉛直方向から見た鏝板の形状が真円形であることを特徴とする左官鏝。
【考案の詳細な説明】
【技術分野】
【０００１】  本考案は、漆喰やアクリル系塗装材（以下「外壁仕上材等」という）を外壁に塗りつけた後、仕上げ処理のため、凹凸面をならしたり、模様を付けた時に生じる、左官鏝に起因する不要な線状の痕跡（以下「鏝波」という）の発生を抑制し、かつ塗り厚を均一にして塗り広げる左官鏝に関するものである。
【背景技術】
【０００２】  従来の左官鏝の鏝板は、鉛直方向から見て、略台形の鏝板あるいは略台形の底辺のうち短辺が、底部を省略した略二等辺三角形になった鏝板の形状を有している。また、従来の左官鏝は、作業者が握る把柄から鏝板前端までの長さと、把柄から鏝板後端までの長さが異なっている。
【先行技術文献】
【特許文献】
【０００３】
【特許文献１】  特開２００７−１９８０２４号公報
【特許文献２】  特開２００５−２９０７７５号公報
【考案の概要】
【考案が解決しようとする課題】
【０００４】  現在、外壁の仕上げに用いられる工法は、外壁にサイディングもしくはＡＬＣ板等を取り付け、または貼り付ける乾式工法と、漆喰を塗りつけ、またはアクリル系塗装材を吹き付け、もしくは塗りつける湿式工法がある。【０００５】  湿式工法ではとくに見栄え、風合いを重んじることから、外壁仕上材等に寒水石あるいは珪砂等の骨材を混入させることが多く、従来の左官鏝で塗りつけると骨材の粒度・複合数・混合量により塗り厚が不均一な凹凸のある地模様の下地になる。【０００６】  塗りつけ後、塗り厚の均一化と鏝波を消す仕上処理のために従来の左官鏝を用いた場合、外壁仕上材等に混入している寒水石あるいは珪砂等の影響で塗り厚が不均一な凹凸のある地模様になっているため、鏝板の略台形の両側面角部あるいは略二等辺三角形の頂角部によって外壁仕上材等を引っかく、あるいは引きずるなどの鏝波が発生しやすくなり、発生した場合、見栄え、風合いを損なう。
また、従来の左官鏝は、作業者が握る把柄から鏝板前端までの長さと、把柄から鏝板後端までの長さが異なるため、鏝板前端と鏝板後端での外壁仕上材等を押さえる力が不均等になり、塗り厚が不均一になる。
本考案は仕上げ面の鏝波および塗り厚の不均一を解決しようとするものである。
【課題を解決するための手段】
【０００７】  本考案は、鉛直方向から見た左官鏝の鏝板の形状を真円形にすることによって前記課題を解決する。
【考案の効果】
【０００８】  寒水石あるいは珪砂等の骨材を混入させた外壁仕上材等は一回の塗りつけで仕上げる場合もあるが、大抵はその後にスポンジなどでこすったり、ひきずり模様を付け、寒水石あるいは珪砂等の凹凸感を際立たせたり、あるいは逆に凹凸を押さえて均一に仕上げることが多い。【０００９】  凹凸を押さえて均一に仕上げる場合、左官鏝を外壁表面に垂直に押し付け、こすり付けていくが、本考案の左官鏝の鏝板の形状は、鉛直方向から見て真円であって、角および頂角部を有する形状ではないので、垂直に押し付け、こすり付けていく作業を行っても外壁仕上材等を引っかく、あるいは引きずるなどの鏝波は発生しない。
さらに、真円形の鏝板であるから、垂直に押し付ける力も鏝板の同心円上において同じ大きさで分布するので、塗り厚の不均一も発生しない。
【考案を実施するための形態】
【００１０】  本考案は、鉛直方向から見た左官鏝の鏝板の形状を真円形にして、角および頂角部を有しない形状にする。
【００１１】  外壁を仕上げる際に、外壁仕上材等を強く外壁表面に押し付けるため、鏝板が変形しやすくなる。
本考案では鏝板の補強として、鏝板と同心円で、かつ、鏝板より小さな適宜の寸法の半径と適宜の厚さを有する真円形の背金を鏝板の上面に固着する。
【００１２】  また、把柄を作業者が握りやすく、かつ、力をこめやすい形状にするため、本考案では背金に立設する把柄を適宜の直径と高さを有する円柱形にする。
【実施例】
【００１３】  本考案を図において説明すると、図１、２、３および４に示すとおり、鏝板の形状を真円形とし、背金の形状を該鏝板と同心円で、かつ、該鏝板より小さな適宜の寸法の半径である真円形とし、背金に立設する把柄の形状を適宜の直径と高さを有する円柱形とする。
さらに、把柄の上端部に面取りを施せば、より握りやすく、かつ、力をこめやすくなる。【００１４】  図３において鏝板は水平方向から見て同一平面であるが、第２実施例として図５に示すとおり、鏝板を真円中心から背金外周端部まで同一平面とし、背金外周端部から鏝板外周端部に向かって上方へ適宜の角度で直線状に折り曲げても同様の効果が得られる。【００１５】  さらに、第３実施例として図６に示すとおり、鏝板を真円中心から背金外周端部まで同一平面とし、背金外周端部から鏝板外周端部に向かって上方へ適宜の半径で曲線状に折り曲げても同様の効果が得られる。
【図面の簡単な説明】
【００１６】
【図１】本考案を鉛直方向上方から見た平面図である。
【図２】本考案を鉛直方向下方から見た平面図である。
【図３】本考案を水平方向から見た側面図である。
【図４】本考案を右斜め上方から見た斜視図である。
【図５】本考案の第２実施例を水平方向から見た側面図である。
【図６】本考案の第３実施例を水平方向から見た側面図である。
【符号の説明】
【００１７】  １      鏝板
１ａ    鏝板の上面
２      背金
３      把柄
【図１】
0003170859.tif 000003
【図２】
0003170859.tif 000004
【図３】
0003170859.tif 000005
【図４】
0003170859.tif 000006
【図５】
0003170859.tif 000007
【図６】
0003170859.tif 000008
(57)【要約】      （修正有）【課題】イヤホンを装着する際の、目視という左右確認作業を効果的に省略し、さわるだけで左右どちらのイヤホンかわかるイヤホンを提供する。【解決手段】本イヤホンは，左耳用イヤホン本体と，右耳用イヤホン本体と，音声を再生する装置に接続可能なコネクタを有する一端から延び，途中で左耳用イヤホン本体に接続する左側コード及び右耳用イヤホン本体に接続する右側コードに分岐するイヤホンコードとを備え，左側コードと右側コードの長さの差が１ｃｍ〜５ｃｍである。【選択図】図１
0003170860.tif 000002
【実用新案登録請求の範囲】
【請求項１】
左耳用イヤホン本体と，
右耳用イヤホン本体と，
音声を再生する装置に接続可能なコネクタを有する一端から延び，途中で前記左耳用イヤホン本体に接続する左側コード及び前記右耳用イヤホン本体に接続する右側コードに分岐するイヤホンコードとを備え，
前記左側コードと前記右側コードの長さの差が１ｃｍ〜５ｃｍであることを特徴とするイヤホン。
【請求項２】
前記左側コード及び前記右側コードともに，イヤホン装着者の首の後ろに回さずに，耳から首の前に垂れ下がるように用いられるタイプのイヤホンであることを特徴とする請求項１に記載のイヤホン。
【考案の詳細な説明】
【技術分野】
【０００１】  本考案は目視による左右確認の省略を図ったイヤホンに関するものである。
【背景技術】
【０００２】  従来のイヤホンはほとんどの製品が左右対称であり，コードの長さは同じである。また，長さを変えられたとしても目視した後に長さを変える作業を必要とする（特許文献１）。左右のコードの一方を首の後ろに回して装着するタイプのイヤホンでは，左右のコードの長さが異なるが，長さの差は数十ｃｍと大きく，左右の両コードともに，イヤホン装着者の耳から首の前に垂れ下がるように用いられるタイプのイヤホンのコードでは，左右のコードの長さに差があるのもはない。
【先行技術文献】
【０００３】
【特許文献１】特開２００２−１０３８６号公報
【考案の概要】
【考案が解決しようとする課題】
【０００５】  以上に述べた従来のイヤホンは毎回、左右どちらかの耳用なのか目視しなければならなかった。
本考案は、このような従来の構造が有していた問題を解決しようとするものであり、目視という確認作業を効果的に省略しさわるだけで左右どちらのイヤホンかすぐにわかる確認性の高いイヤホンを実現することを目的とする。
【課題を解決するための手段】
【０００６】  本考案は上記目的を達成するためのイヤホンは，左右のコードの長さ差を１ｃｍ〜５ｃｍとするものである。具体的には，本考案のイヤホンは，左耳用イヤホン本体と，右耳用イヤホン本体と，音声を再生する装置に接続可能なコネクタを有する一端から延び，途中で左耳用イヤホン本体に接続する左側コード及び右耳用イヤホン本体に接続する右側コードに分岐するイヤホンコードとを備え，左側コードと右側コードの長さの差が１ｃｍ〜５ｃｍであることを特徴とする。
【考案の効果】
【０００７】  上述のように、イヤホンの左右のコードの長さを１ｃｍ〜５ｃｍ違えることで，目視という確認作業を効果的に省略しさわるだけで左右どちらのイヤホン本体かすぐに認識でき，目の見えない人や電気のない暗いところでも、さわっただけで左右がすぐにわかる効果がある。
【図面の簡単な説明】
【０００８】
【図１】本考案の実施の形態におけるイヤホンを示す図である。
【考案を実施するための形態】
【０００９】  図１は，本考案の実施の形態におけるイヤホンを示す図である。本考案のイヤホン１０は，左耳用イヤホン本体１１と，右耳用イヤホン本体１２と，音声を再生する装置に接続可能なコネクタ１３を有する一端から延び，途中で左耳用イヤホン本体１１に接続する左側コード１４ａ及び右耳用イヤホン１２本体に接続する右側コード１４ｂに分岐するイヤホンコード１４とを備える。そして，左側コード１４ａと右側コード１４ｂの長さの差が１ｃｍ〜５ｃｍである。すなわち，イヤホンコードが左右に別れる所から、耳に装着する部分までのコードの長さを１ｃｍ〜５ｃｍ変える。
【００１０】  これにより，イヤホンを装着する際に，イヤホンコードを延ばして，左側コード１４ａと右側コード１４ｂの長さの差を確認することで，目視することなく，どちらが左耳用イヤホン本体１１か右耳用イヤホン本体１２かを判別することができる。
【００１０】  本考案のイヤホンは，左側コード１４ａ及び右側コード１４ｂともに，イヤホン装着者の耳から首の前に垂れ下がるように用いられるタイプのイヤホンであって，左側コード又は右側コードのいずれか一方を首の後ろ側に回して，イヤホン本体を耳に装着するタイプではない。後者のタイプのイヤホンは，左側コード１４ａ又は右側コード１４ｂのいずれか一方を首の後ろ側に回すために，左側コード１４ａと右側コード１４ｂは，数十ｃｍ程度の長さの差を必要とする。仮に後者のタイプのイヤホンを，前者のタイプのイヤホンのように装着すると，コードの長さの差があまりにも大きくアンバランスとなり，装着の際に違和感を与える。本考案のイヤホンは，前者のタイプのイヤホンにおいて，装着の際に違和感を与えない程度のわずかな左右の長さの差を設けたものであり，その長さの差は，１ｃｍ〜５ｃｍが最適である。
【符号の説明】
【００１１】  １０  イヤホン
１１  左耳用イヤホン本体
１２  右耳用イヤホン本体
１３  コネクタ
１４  イヤホンコード
１４ａ  左側コード
１４ｂ  右側コード
【図１】
0003170860.tif 000003
(57)【要約】      （修正有）【課題】のし袋の折り目がインクジェットプリンタ、ページプリンタの紙送り機構に引っ掛かる事を防止するのし袋印刷用ホルダーを提供する。【解決手段】プラスチック又は、プリンタの紙送り機構で破れない位の強度を持った紙製の、表シート、裏シートで構成されており、それぞれの下辺と左辺は結合されているとともに下辺と左辺は閉じた状態になっており、上辺と右辺は開口していて、表シートには表書き印刷用の第一の窓又は、切り欠きを設けた。更に、金額、住所の印刷用第二の窓又は、切り欠きを付けて、表書きと金額、住所が印刷出来る様になっているものである。【選択図】図３
0003170877.tif 000002
【実用新案登録請求の範囲】
【請求項１】
表シート、裏シートで構成されており、それぞれの下辺と左辺は結合されているとともに下辺と左辺は閉じた状態になっており、上辺と右辺は開口していて、表シートには、表書き印刷用の窓あるいは切り欠きが設けられている、のし袋印刷用ホルダー。
【請求項２】
金額、住所の印刷用の窓あるいは切り欠きを設けた請求項1に記載の、のし袋印刷用ホルダー。
【考案の詳細な説明】
【技術分野】
【０００１】
本考案は、インクジェットプリンタ、ページプリンタを用い、のし袋に表書き等を印刷する時に用いるホルダーに関するものである。
【背景技術】
【０００２】
クリヤケースに書類を挟み、コピー機のガラス面に置き、コピーをしていた（特許文献１）。
【先行技術文献】
【特許文献】
【０００３】
【特許文献１】実開平４−２７８１６
【考案の概要】
【考案が解決しようとする課題】
【０００４】
従来、文書をコピーする場合用紙サイズにより、望んだ位置に一度でコピーできなかった。又、字が苦手な人、何らかの障害を持ち、字がうまく書けない人から、インクジェットプリンタ、ページプリンタを用い、印刷したいと云う要望が有った。しかし、のし袋を開いて表書き等を印刷しようとすると、のし袋の折り目がインクジェットプリンタ、ページプリンタの紙送り機構に引っ掛かり印刷が困難であった。  そこでこの考案は、のし袋の折り目がインクジェットプリンタ、ページプリンタの紙送り機構に引っ掛かる事を防止する事を課題とする。
【課題を解決するための手段】
【０００５】
上記の課題を解決するための考案は、表シート、裏シートで構成されており、それぞれの下辺と左辺は結合されているとともに下辺と左辺は閉じた状態になっており、上辺と右辺は開口していて、表シートに、表書き印刷用の窓あるいは切り欠きを設けた。更に、金額、住所の印刷用の窓あるいは切り欠きを付けたものである。
【考案の効果】
【０００６】
この考案よれば、ホルダーでのし袋の折り目を伸ばした状態になったので、インクジェットプリンタ、ページプリンタに引っ掛からないようになった。
【図面の簡単な説明】
【０００７】
【図１】本考案の実施例の平面図である。
【図２】本考案の実施例の立体図である。
【図３】本考案の実施例の使用状態図である。
【図４】本考案の他の実施例の平面図である。
【図５】本考案の他の実施例の立体図である。
【図６】本考案の他の実施例の使用状態図である。
【図７】本考案の更に他の実施例の平面図である。
【図８】本考案の更に他の実施例の立体図である。
【図９】本考案の更に他の実施例の使用状態図である。
【考案を実施するための形態】
【０００８】
以下、本考案の実施の形態を図に基づいて説明する
【０００９】
図１は、本考案の実施例の平面図である。
図2は、本考案の実施例の立体図である。のし袋印刷用ホルダー１はプラスチック又は、プリンタの紙送り機構で破れない位の強度を持った紙製であり、表シート２、裏シート３で構成されている。それぞれの下辺aと 左辺bは結合されている。そのため、下辺aと左辺bは閉じた状態になっている。上辺c1、c2と右辺d1、d2は開口している。表シート２には、表書き印刷用第一の窓eと金額、住所の印刷用第二の窓fが設けられている。
図3は、本考案の実施例の使用状態図である。のし袋4は開かれた形で、のし袋印刷用ホルダーの表シート2と裏シート3の間に挟まれ、のし袋の上端と下辺aは密着させ、又、のし袋の右端と左辺bも密着する様に設定される。表シート２には、表書き印刷用窓eと金額、住所の印刷用の窓fが設けられているので、表書きと裏面の金額、住所が印刷出来る様になっている。ホルダーの大きさは、右辺dよりのし袋を印刷する定位置に設定しやすい様に、ホルダーの幅はのし袋より小さくなっている。又、表書きと裏面の金額、住所を所定の位置に印刷が出来る様に、既存の文書作成、又は、表計算ソフトウェアに所定の位置を設定した。このソフトウェアには、表書きの例文集が付属しており、例文集より適切な表書きを選択し、ソフトウェア上でコピーし、貼り付けるだけで簡単に表書きが出来る様になった。
【００１０】
この実施例によれば、二枚のシートの間にのし袋を所定位置に挟む事により、折り目が伸びインクジェットプリンタ、ページプリンタに、引っ掛からない。表書き印刷用の窓、金額、住所の印刷用の窓が設けられているのでそのまま印刷出来る。
窓にすることにより、シートの構造体が多く残され、耐久性に富む。
【００１１】
図１、図2、図3の実施例では、表シートに表書き印刷用窓と 金額、住所の印刷用の窓が設けられているが、図４、図５、図６に示す他の実施例では、表書き印刷用窓ではなく切り欠きgとし、金額、住所の印刷用の窓fを設けたものである。図7、図8、図9に示す更に他の実施例では、表書きと金額、住所の印刷が出来る大きさの切り欠きとしても良い。
【符号の説明】
【００１２】
1  のし袋印刷用ホルダー本体          
2  表シート                            
3  裏シート   
4  のし袋   
a  下辺  
b  左辺  
c1 表シート上辺    
c2 裏シート上辺  
d1 表シート右辺  
d2 裏シート右辺  
e  表書き印刷用窓
f  金額、住所の印刷用窓
g  切り欠き
【図１】
0003170877.tif 000003
【図２】
0003170877.tif 000004
【図３】
0003170877.tif 000005
【図４】
0003170877.tif 000006
【図５】
0003170877.tif 000007
【図６】
0003170877.tif 000008
【図７】
0003170877.tif 000009
【図８】
0003170877.tif 000010
【図９】
0003170877.tif 000011
(57)【要約】      （修正有）【課題】ゲル撮影装置内もしくは暗箱内におけるＬＥＤ励起光をサンプルにスムーズに照射することで蛍光シグナルを迅速かつ明瞭に検出し作業性を向上させるＬＥＤ励起光源を提供する。【解決手段】平面上に設置した左右のレール移動式部にまたがったＬＥＤ励起光光源部により簡単に対象サンプルの撮影及びＤＮＡの切り出しの両目的に対応できＬＥＤ励起光をスムーズに照射し問題点を解決している。【選択図】図１
0003170828.tif 000002
【実用新案登録請求の範囲】
【請求項１】
平面上におかれた左右のレール移動部にＬＥＤ励起光源をまたがせゲル撮影装置（ＵＶ  Ｔｒａｎｓ−ｉｌｌｕｍｉｎａｔｏｒ及び撮影装置Ｂｏｘ）もしくは暗箱内に挿入しサンプルゲルの撮影及びゲルの切り出しに用いるレール移動式ＬＥＤ励起光源。
【考案の詳細な説明】
【技術分野】
【０００１】  本考案は励起光としてのＬＥＤ光源を対象サンプルにスムーズに照射できる励起光源固定に関するものである。
【背景技術】
【０００２】電気泳動後のゲル撮影装置内もしくは暗箱内で対象サンプルを実験目的により移動する場合に同時に励起光源を移動しかつ調整しなければならなかった。
【先行技術文献】
【特許文献】
【０００３】
【特許文献１】特許公開２００７−２７９０９０
【非特許文献】
【０００４】
【非特許文献１】バイオスピード株式会社「デジスナップ・ハイブリッド」カタログ
【考案の概要】
【考案が解決しようとする課題】
【０００５】実験目的によるサンプルの移動に伴う励起光の移動調整（Ｘ．Ｙ．Ｚ）は励起光光源部固定方法の構造（例えばマグネット固定法）できわめて複雑であった欠点を解決しようとするものである。
【課題を解決するための手段】
【０００６】本考案は、平面上に設置した左右のレール移動式部にまたがったＬＥＤ励起光光源部により簡単に対象サンプルの撮影及びＤＮＡの切り出しの両目的に対応でき励起光をスムーズに照射し問題点を解決している。
【考案の効果】
【０００７】上述のように本考案のレール移動式ＬＥＤ励起光源はゲル撮影装置（ＵＶ−Ｔｒａｎｓ−Ｉｌｌｕｍｉｎａｔｏｒと撮影装置Ｂｏｘにて構成）もしくは暗箱内における撮影及び切り出しの目的に対しサンプルの移動に伴う照射位置調整が簡単にできサンプルの蛍光シグナル検出に役立つ。
【図面の簡単な説明】
【０００８】
【図１】本考案のレール移動式ＬＥＤ励起光源の側面図
【図２】本考案の光源部をゲル撮影装置内に挿入した使用例図
【考案を実施するための形態】
【０００９】ゲル撮影装置もしくは暗箱内に本考案部を挿入しターゲット（サンプルゲル）にＬＥＤ励起光を照射しその得られる蛍光シグナルを最適化するがその際光源位置（Ｘ．Ｙ．Ｚ）を簡単に調整し撮影及び切り出し作業がスムーズとなる。
【実施例】
【００１０】以下、添付図面に従って一実施例を説明する。
１は本考案の全体図で励起光源をレール移動式のスライド部（左右）にまたがせた本体、２は本体をゲル撮影装置内に挿入しＬＥＤ励起光源として使用する。
【符号の説明】
【００１１】１  ＬＥＤヘッド
２  トルクヒンジ
３  ポール部
４  Ｍ４ナット
５  Ｍ４キャップボルト
６  レールスライド部
７  ベース部
８  クッション
９  ゲル撮影装置
【図１】
0003170828.tif 000003
【図２】
0003170828.tif 000004
【手続補正書】
【提出日】平成23年7月12日(2011.7.12)
【手続補正１】
【補正対象書類名】実用新案登録請求の範囲
【補正対象項目名】全文
【補正方法】変更
【補正の内容】
【実用新案登録請求の範囲】
【請求項１】
ゲル撮影装置（ＵＶ  Ｔｒａｎｓ−ｉｌｌｕｍｉｎａｔｏｒ及び撮影装置Ｂｏｘ）もしくは暗箱内に挿入し、サンプルゲルの撮影及びゲルの切り出しに用いるレール移動式ＬＥＤ励起光源装置であって、
レールスライド部（６）と、ポール部（３）と、ＬＥＤヘッド（１）とを備え、
レールスライド部（６）は平面上に左右におかれ、ポール部（３）は左右のレールスライド部（６）にそれぞれ垂直に備え付けられ、ＬＥＤヘッド（１）は、左右のレールスライド部（６）にまたがるようにポール部（３）にトルクヒンジ（２）で備え付けられ、ＬＥＤ励起光源の位置を調整できることを特徴とする、上記レール移動式ＬＥＤ励起光源装置。
(57)【要約】      （修正有）【課題】利便性が高いマスク収納ケースを提供する。【解決手段】抗菌加工が施されたポリプロピレン材料を用いて、開閉可能な部分と圧着による密閉部分を作製する。【選択図】図１
0003170827.tif 000002
【実用新案登録請求の範囲】
【請求項１】
あらかじめ抗菌加工が施されたポリプロピレン材料（以下ＰＰと表記する）を用い作成したマスクケースの間に市販のマスクを収納し、衛生的なマスクの使用を補助する機能を持つところを特長とするマスク収納ケース。
【請求項２】
前記の材料に対する印刷は、オフセット印刷を用いて絵や文字、写真などを印刷した請求項１に記載のマスク収納ケース。
【考案の詳細な説明】
【技術分野】
【０００１】  本考案は主として、フイルムシート材料に対して多目的に使用できる利便性の高いノベルティー商品に関するものである。
【背景技術】
【０００２】  従来のマスク収納ケースは、安価なポリプロピレンフィルムを用い耐久性にも乏しい物だった。
【考案が解決しようとする課題】
【０００３】  従来のマスク収納ケースは、作成しようとする素材に抗菌加工がほどこされておらず、使用済みのマスクを収納する場合に、付着した雑菌が繁殖してしまう可能性があった。また、マスクをむき出しで持ち運ぶことも同様の問題があった。
【０００４】  少なからずプラスチック製品は廃棄処理の段階で環境に負荷をかけてしまうという課題を持っているが、本考案であるマスク収納ケースの材料シート素材を再生樹脂材料もしくはトウモロコシ等から製造されるＰＬＡ《ポリ乳酸》を主原料とした生分解性プラスチック材料を使用して作成することで環境負荷の課題を解決することができる。
【課題を解決するための手段】
【０００５】  予め抗菌、滅菌効果を持つ加工を施したＰＰ材料を用いることで、使用済みのマスクに付着した雑菌の繁殖を抑える機能を持つマスク収納ケースを作成できる。また、オフセット印刷を用いてパターン等を印刷することで、共通の材料で多岐にわたる製品のバリエーションを作成することも出来、マスク収納ケースのノベルティー効果を高めることが出来る。
【考案実施の形態】
【０００６】  図１は本考案のマスク収納ケース（１）の視図である。図１でマスク収納ケース（１）の上辺（ａ）底辺（ｂ）は山折になっており、左辺（ｅ）で圧着されている。そのため上辺（ａ）と底辺（ｂ）及び左辺（ｅ）は閉じた状態になっている。右辺（ｃ）と右辺（ｄ）、（ｆ）は開口しているため、ここからマスクを出し入れすることができる。
【０００７】  図２は本考案のマスク収納ケース（１）の展開図である。図１でマスク収納ケース（１）は１枚のフィルムシートを折り曲げ、左辺（ｅ）を圧着することで右辺（ｃ）と右辺（ｄ）、（ｆ）部に開口部を持つことが出来る。また、左辺（ｅ）は厚着されているのでマスクを収納した場合にその脱落を防止することが出来る
【０００８】  このマスク収納ケース（１）の材料はシートの素材が光透過性を有する再生樹脂材料もしくはトウモロコシ等から製造されるＰＬＡ《ポリ乳酸》を主原料としたプラスチック材料を使用して環境に優しい商品として作成することもできる。環境に優しい商品として使用する場合、宣伝広告効果を更に高めることができる。
【図面の簡単な説明】
【０００９】
【図１】本考案のマスク収納ケースの視図
【図２】図１のマスク収納ケースの展開図
【符号の説明】
【００１０】  １  マスク収納ケース
ａ  上辺
ｂ  底辺
ｃ  右辺
ｄ  右辺
ｅ  左辺
【図１】
0003170827.tif 000003
【図２】
0003170827.tif 000004
【手続補正書】
【提出日】平成23年6月24日(2011.6.24)
【手続補正１】
【補正対象書類名】実用新案登録請求の範囲
【補正対象項目名】請求項１
【補正方法】変更
【補正の内容】
【請求項１】
あらかじめ抗菌加工が施されたポリプロピレン材料（以下ＰＰと表記する）を用い、マスク本体を外気に触れないように収納するために、開閉可能な部分と圧着による密閉部分を作成することで、マスクの出し入れと密閉に近い状態での保存機能を兼ね備えるところを特長とするマスク収納ケース。